(57)【特許請求の範囲】
【請求項１】
竿先に装着させる装着部と、該装着部に対して相対回転可能な回転本体部の先部に設けられた線状部材が、該回転本体部の前側に輪を描き、少なくとも巻回数が１を越えた輪であると共に、輪の内側領域の面積が最大に見える方向から見て、輪の内側領域の輪郭において、回転本体部に最も近い点と、該最も近い点を通り、回転本体部の回転軸線と重なって見える前後方向ラインが交差する他点との、両点を結ぶ線分の中央位置を中心とし、前記ラインを基準にして、概ね±３０度の範囲を除く他の領域に線状部材の巻回終端が位置しており、
前記１を越えた巻回数の輪の隣接した線状部材間には隣接領域全長に亘って隙間を有しており、しかも前記輪の全体を覆うことのできる筒状糸抜け防止部材を設けていることを特徴とする釣糸掛止具。
【請求項２】
前記輪の巻回数は１回と１／２未満の端数回であり、前記前後方向ラインに対して直交する左右方向ラインを基準にして概ね±４５度の範囲内に線状部材の巻回終端が位置している請求項１記載の釣糸掛止具。
【請求項３】
請求項１又は２記載の釣糸掛止具を、装着部を介して穂先部に装着した釣竿。
【発明の詳細な説明】
【０００１】
【発明の属する技術分野】
本発明は、釣糸掛止具とこれを装着した釣竿に関する。
【０００２】
【従来の技術】
竿先に釣糸を掛止する糸止め具の構造が特開平１０−３２７７１０号公報に開示されている。竿先に元管を取付け、該元管に支持軸体を取付け、これに回動自在な回転体を取付けた糸止め具が開示されている。回転体は基部と掛止部とからなり、掛止部は、２つの延出部の端部が弾圧的に衝合している。この衝合部を押し広げて釣糸の輪部を掛止部に掛止させることが開示されている。この公報開示の発明は、釣糸をワンタッチで簡単に取付けでき、不用意な外れも防止できることを課題としている。また、実開昭５３−３５８８７号公報には、回転部が無く、単に針金を２回巻いた輪の中に釣糸をセットできる穂先部の構造が開示されている。
【０００３】
【発明が解決しようとする課題】
前者公報では、掛止部に釣糸の輪部を掛止させるには、衝合している延出部端部を指で押して離反させる作業を伴うが、この部位は穂先の非常に小さな部位であり、指でこの部位を押し広げることは非常に難しい。仮に、釣糸の輪部だけで押し広げて掛止させるとしても、この小さな部位の中の、特定の部位に輪部を位置させて、釣糸を手で強く引くような操作が必要であり、位置決めが難しい。更には、穂先であるため、穂先部を手で保持した状態が不安定であり、掛止作業が更に難しい。また、掛止部を形成している各延出部は３６０度未満の長さであって単独では輪を形成していないため、外れ易い。即ち、釣りにおいて魚が掛かった際に、釣糸が前方に強く引かれつつ左又は右側方に移動することがあり、この場合、釣糸を引く力によって２つの衝合部が離反し、側方に移動した際に釣糸の輪部が外れ易い。
また、後者の公報では、単に２回巻いた輪に釣糸を比較的簡単にセットできるが、巻回端部が前方に延伸したストッパーなる部位が存在しており、更には回転機構を有していないため、釣りの際に釣糸が巻き付いたり引っ掛ったりし易い。更には、釣りの最中に釣糸が傷付き易い。
依って本発明は、釣糸を簡単に掛止できると共に、掛止すれば不用意に外れず、しかも使用時に釣糸が傷付き難い釣糸掛止具とそれを装着した釣竿の提供を目的とする。
【０００４】
【課題を解決するための手段】
上記目的に鑑み本発明の請求項１では、竿先に装着させる装着部と、該装着部に対して相対回転可能な回転本体部の先部に設けられた線状部材が、該回転本体部の前側に輪を描き、少なくとも巻回数が１を越えた輪であると共に、輪の内側領域の面積が最大に見える方向から見て、輪の内側領域の輪郭において、回転本体部に最も近い点と、該最も近い点を通り、回転本体部の回転軸線と重なって見える前後方向ラインが交差する他点との、両点を結ぶ線分の中央位置を中心とし、前記ラインを基準にして、概ね±３０度の範囲を除く他の領域に線状部材の巻回終端が位置しており、前記１を越えた巻回数の輪の隣接した線状部材間には隣接領域全長に亘って隙間を有しており、しかも前記輪の全体を覆うことのできる筒状糸抜け防止部材を設けていることを特徴とする釣糸掛止具を提供する。
【０００５】
上記の、線状部材の巻回終端が概ね±３０度の範囲を除く他の領域に位置するとは、輪の前方部領域を除く、後方と左右側方の何れかの領域に位置しているということであり、釣糸にチチワを設けてこれを輪（掛止部）に掛止して釣りを行う場合に、線状部材の巻回終端が、チチワが頻繁に擦られる輪の前方部領域には位置していないため、チチワが線状部材の巻回終端によって擦れたり引っ掛ったりし難く、釣糸の耐久性が向上する。また、線状部材は、回転本体部の前側に１回より多く巻回して輪を描いているため、チチワを掛止させる際には、チチワを回転本体部近くの輪の外側に位置させ、チチワ（釣糸）を回転本体部の前方に引くだけで簡単、確実に輪に掛止できる。更には、一旦掛止されれば、線状部材が１回を越えて巻回されていると共に、巻回終端位置が既述の如くであるため、釣竿に装着して釣りを行う際に、外れ難い。
例えば、巻回数が１回と１／４であれば、１／４回の端数巻回領域が、１回分の（完全輪の）巻回領域と隣接しており、この１／４回の巻回領域に対応する領域が隣接領域となる。この領域間に隙間を設けているため、チチワを挿通させる際に、隣接した線状部材間でチチワを必要以上に圧縮しないで済み、繰り返して使用してもチチワ（釣糸）を損傷させ難くなる。この隙間は使用している釣糸の外径よりも小さな隙間が好ましい。これは、隙間は大きな方が挿通させ易いが、一旦掛止したチチワが不用意に抜け難いとはいえ、特別な条件下においては抜けないとは言えず、この場合でも抜け難くするためには、釣糸外径よりも小さくしておけば、それだけ自然には抜け難くなる。また、輪の全体を覆うことのできる筒状糸抜け防止部材を設けているため、釣糸外径に対する上記隙間の大小に拘わらず、釣糸（チチワ）の不用意な抜けが更に効果的に防止でき、また更には、筒状の糸抜け防止部材であって、輪の全体（全長）を覆うことができるため、輪に掛止されている釣糸を、この筒体の延伸方向、即ち、前方に指向させることができ、輪の付いた回転本体部の回転作用と協働して、釣り操作中に釣糸が穂先に絡み難くなる。
【０００６】
また、請求項２では、前記輪の巻回数は１回と１／２未満の端数回であり、前記前後方向ラインに対して直交する左右方向ラインを基準にして概ね±４５度の範囲内に線状部材の巻回終端が位置している請求項１記載の釣糸掛止具を提供する。
巻回終端が上記範囲にあり、巻回数が１回と１／２未満であるため、１回を越えた概ね最小の巻回数といえ、請求項１の作用効果を有する最も簡単であって、軽量な釣糸係止部構造といえる。巻回数が概ね最小であるため、チチワを掛止する際に、最も素早く可能となり、迅速に釣りに移行できる。
【０００７】
請求項３では、請求項１又は２記載の釣糸掛止具を、装着部を介して穂先部に装着した釣竿を提供する。
請求項１又は２の釣糸掛止具を、その装着部を介して釣竿に装着したものであり、これらの作用効果は、上記各請求項のところで説明している。
【０００８】
【発明の実施の形態】
以下、本発明を添付図面に示す実施形態例に基づき、更に詳細に説明する。
図１は本発明に係る釣糸掛止具を装着した釣竿穂先部の平面図であり、図２はその要部拡大側面図、図３はその端面図である。例えば筒形状の筒状部２２Ａを有し、その先部に軸部２２Ｂを突設した装着部２２が、繊維強化樹脂製等の釣竿の穂先部１０に筒状部を套嵌させて接着等によって固定されている。この装着部２２に対して回転可能な回転本体部２４が、軸状に形成されてもよいが、この形態例では筒状に形成されている。前記軸部２２Ｂの所定位置には全周に亘った溝２２ＢＭが設けられており、一方、回転本体部２４が軸部２２Ｂに套嵌された後に、対応箇所に全周に亘った溝２４Ｍが形成され、抜け止めを図りつつ回転自在に構成されている。従って、この場合の回転本体部は、ステンレスや、真鍮や、アルミニウム等の金属で形成されているが、回転本体部はプラスチック等の他部材で形成することができる。また、装着部２２も金属でもプラスチック等でもよく、材料に限定はない。
【０００９】
回転本体部の先端部には線状部材２６が突設されており、この線状部材は、図示の如く、この形態例では幾分前後に長い長円形の輪を描くように巻回されている。図１はこの輪の内側領域の面積が最大になる方向からの平面視であり、最小になる方向は図２であり、図１は上から見た図とすれば、図２は横から見た図である。この形態例では、輪（掛止部）は、線状部材２６を１回と１／４巻回して形成されている。端数回の１／４巻回部２６Ｂは、１回の巻回部２６Ａの上側に位置しているが、この形態例では、隣接した線状部材間には、隣接領域Ｚの全長（１／４巻回部分）に亘って隙間δが設けられている。隙間δは一定である必要はないが、ここでは概ね一定である。
【００１０】
釣糸先端部に、所謂、チチワを形成し、チチワを掛止させる際には、図２に示すように、そのチチワ（の一部）３０を回転本体部２４近くの輪の外側に位置させ、チチワ（釣糸）を回転本体部の前方（釣竿の前方）に引けば、１／４巻回部２６Ｂと１回の巻回部２６Ａとの隙間δを押し広げつつ侵入し、簡単、確実に輪に掛止できる。勿論、この隙間δが０であって、巻回部同士が当接していても、チチワを掛止させることはできる。この場合は、押し広げる量が大きくなるだけである。また、隙間δがチチワ（釣糸）の外径よりも大きくても掛止できる。この場合は、押し広げが無いだけである。
【００１１】
一旦、掛止された後、不用意にチチワが抜け出ないためには、隙間δは釣糸外径よりも小さいことが好ましい。この場合、巻回部同士が弾性によって離隔する必要があるため、線状部材２６は、この程度の弾性を有する必要があるが、一旦掛止されて釣りを行う場合に、魚等による強い引きにも耐える必要があるため、ステンレス材程度の硬さが好ましい。しかし、本願は、線状部材の材料も限定されない。
【００１２】
上記形態例では、輪は巻回数が１回と１／４であるが、以下の如き他の巻回数でもよい。まず、回転本体部２４の回転軸線ＣＬは、実質的に釣竿の中心軸線と一致している。輪の内側領域の面積が最大となる図１の状態において、内側領域の輪郭の、回転本体部に最も近い点Ｐ１を通り、前記回転軸線ＣＬと重なって見える前後方向ラインＬ１が交差する他点Ｐ２と前記点Ｐ１との２点を結ぶ線分の中央位置を中心Ｐ０とする。この中心は、例えば輪（の内側領域）が円形であれば、円の中心であり、前後に長い楕円であれば、長軸の中央位置であり、通常の中心の概念と異なるものではないが、本願の輪の形状に限定は無いため、一般的に中心を定めるために、多少複雑に見える規定の仕方をしているに過ぎない。
【００１３】
上記Ｐ０を中心とし、前後方向ラインＬ１を基準に、輪の前方部である±αの角度範囲を除いた他の領域に、線状部材２６の終端ＰＥが位置するように巻回すれば巻回数は幾らでもよい。このαは３０度程度である。然しながら、既述のように巻回数が多いことには欠点もあるので、典型的には図１の形態例が好ましく、巻回数が２回未満であり、１回と、１／２未満の端数回である、終端ＰＥの好ましい位置範囲として、図１において前記中心Ｐ０を通り、前後方向ラインＬ１に直交する左右方向ラインＬ２を基準にして、±θの角度範囲内に位置させる。この角度θは概ね４５度が好ましい。その次に好ましいのは、巻回数が２回未満であって、１回と、１／２を越えた端数回であり前記ラインＬ２を基準にして、概ね±４５度の範囲内に位置させる場合である。
【００１４】
上記形態例では、巻回部２６Ａは釣竿の中心軸線に対して平行な面内に形成されているが、例えば、図２の２点鎖線２６Ａ’で模式的に示すように（プラス方向やマイナス方向に）傾斜していてもよいが、本願では、この傾斜角度が±９０度やこれに近い傾斜の場合は除く。この場合は、釣糸が抜け易くなったり、釣竿前方に指向し難く、釣りにおいて絡み易かったりするからである。上記傾斜角度は±３０度程度までが好ましいが、更に傾斜していてもよい。このように巻回部２６Ａが傾斜していても、本願では図１を参照しつつ説明した各事項をそのまま適用してよい。即ち、輪の内側領域の面積が最大になる方向は、図２で言えば、厳密には２点鎖線２６Ａ’を平面とすれば、この平面に垂線を立てた方向から見る場合であるが、これは上記したように、単に中心を決めるための表現に過ぎず、図１のように釣竿の中心軸線に垂直な方向から見ても、実質的に同じといえる中心位置が求まる。勿論、厳密な最大面積になる方向から定めてもよい。
【００１５】
図４は、図１の形態例と比較して、主として寸法相違による第２形態例を示す。即ち、穂先部１０に筒状部２２Ａを装着した場合、回転本体部２４と線状部材２６を有する回転部の外径が前記筒状部よりも小さい。従って、釣りにおいて、一時的に釣糸が穂先領域に巻き付いても、抜き去る際に回転部に接触しないまま抜き去ることのできる可能性が高く、更に糸絡みが生じ難い。
【００１６】
図５と図６は、第３の形態例を示しており、主として第１、第２の形態例と異なるのは、装着部２２が長く、筒状部２２Ａの前側に他の筒状部２２Ｃが延伸し、その先に軸部２２Ｂが設けられている。また、釣りを行っていない時には、他の筒状部２２Ｃ付近の外側に、筒状の糸抜け防止部材２８を退避させておくことができる（図５）。釣糸のチチワを釣糸掛止具の線状部材２６による輪に掛止させて釣りを行う際には、筒状糸抜け防止部材２８を前進させ、筒状部２２Ｃの前部において、該部材２８が不用意に後方に抜けない程度に保持するか、或いは、回転本体部２４の外周部で部材２８が不用意に後方に抜けない程度に保持する。従って、筒状糸抜け防止部材は、回転本体部と共に回転する場合と、回転しない場合がある。
【００１７】
こうして、筒状糸抜け防止部材２８が線状部材２６の形成した輪の全体を、少なくとも釣糸の外径未満の隙間（隙間ゼロも含む）で覆い、釣糸のチチワの抜け止め作用を果たすと共に、釣糸が釣竿の前方に指向するように強制され、それだけ糸絡みが防止され易い。また、筒状糸抜け防止部材２８の前端縁部２８Ｃは、部材を外側に折り返して角縁部を丸め、釣糸の傷付き防止と共に先端部を補強している。
【００１８】
【発明の効果】
以上の説明から明らかなように本発明によれば、釣糸を簡単に掛止できると共に、掛止すれば不用意に外れず、しかも使用時に釣糸が傷付き難い釣糸掛止具とそれを装着した釣竿が提供可能となる。
【図面の簡単な説明】
【図１】  図１は本発明に係る釣竿の穂先部の平面図である。
【図２】  図２は図１の要部拡大側面図である。
【図３】  図３は図１の端面図である。
【図４】  図４は第２形態例の図であり、図１に対応する図である。
【図５】  図５は第３形態例の図であり、図１に対応する図である。
【図６】  図６は図５の穂先部の釣り使用時の図である。
【符号の説明】
１０                穂先部
２２                装着部
２４                回転本体部
２６                線状部材
Ｚ                  隣接領域
【図１】
0003841274.tif 000002
【図２】
0003841274.tif 000003
【図３】
0003841274.tif 000004
【図４】
0003841274.tif 000005
【図５】
0003841274.tif 000006
【図６】
0003841274.tif 000007